(57)【要約】【課題】取っ手の有無による利便性と、電子カセッテを吊り下げることによる破損防止とを両立しつつ、電子カセッテを吊り下げることによる撮影の制約を受けないようにした放射線画像検出装置及び放射線撮影システムを提供する。【解決手段】電子カセッテ１２は、ケーブル１７により吊り下げられた取っ手２３と、取っ手２３に対して着脱自在とされ、取っ手２３に装着されたときに取っ手２３とともにケーブル１７により吊り下げられるカセッテ本体２４からなる。カセッテ本体２４は、取っ手２３から取り外されたときに内部の回路等に電力を供給する電源部と、画像データを記憶する画像メモリとを有し、取っ手２３から取り外した状態で撮影を行なうことができる。【選択図】図３
2011242756.tif 000002
【特許請求の範囲】
【請求項１】
ケーブルにより吊り下げられた取っ手と、
被検体を透過した放射線を検出して放射線画像を生成する検出部を有し、前記取っ手に着脱自在とされ、前記取っ手への装着時に前記ケーブルにより前記取っ手とともに吊り下げられる検出手段とを備えたことを特徴とする放射線画像検出装置。
【請求項２】
前記検出手段は、前記取っ手から取り外されたときに電力を供給する第１電源部と、前記放射線画像を記憶する記憶部とを有し、前記取っ手から取り外した状態で撮影を行なうことができることを特徴とする請求項１記載の放射線画像検出装置
【請求項３】
前記取っ手は、前記ケーブルを通して外部装置と通信を行なう通信手段を備えていることを特徴とする請求項２記載の放射線画像検出装置。
【請求項４】
前記取っ手は、前記検出手段が装着されたときに、前記検出手段に電力を供給する第２電源部を備えていることを特徴とする請求項３記載の放射線画像検出装置。
【請求項５】
前記第２電源部は、前記取っ手が前記ケーブルに接続されているときに充電され、前記取っ手が前記ケーブルから取り外されたときに前記検出手段に電力を供給するバッテリを備えていることを特徴とする請求項４記載の放射線画像検出装置。
【請求項６】
被検体に放射線を照射する放射線発生器と、
請求項１〜５いずれか記載の放射線画像検出装置と、
前記放射線発生器と前記放射線画像検出装置とを制御する制御装置とを備えたことを特徴とする放射線撮影システム。
【発明の詳細な説明】
【技術分野】
【０００１】
本発明は、被検体を透過した放射線を検出して放射線画像を生成する放射線画像検出装置と、この放射線画像検出装置を用いた放射線撮影システムとに関し、更に詳しくは、可搬性向上のために取っ手を備えた放射線画像検出装置及び放射線撮影システムに関する。
【背景技術】
【０００２】
近年、ＴＦＴ（Thin film transistor）アクティブマトリクス基板上にＸ線感応層を配置し、Ｘ線を直接デジタルデータに変換できるＦＰＤ（flat panel detector）が実用化されている。また、ＦＰＤを用いて被検体を透過して照射された放射線により表わされる放射線画像を生成し、生成した放射線画像を記憶する可搬型の放射線画像検出装置が実用化されている。可搬型の放射線画像検出装置は、電子カセッテとも呼ばれ、多数の高価な電子部品により構成されているため、落下時の衝撃による破損が懸念される。
【０００３】
電子カセッテには、落下を防止するため、可搬性を向上させる取っ手が側面に設けられているものがある。しかし、取っ手を備えた電子カセッテは、ＩＳＯ規格で定められたフイルム用カセッテやＩＳＯ規格に準ずるＣＲ用カセッテとは形状が異なるので、フイルム用カセッテまたはＣＲ用カセッテの撮影台にセットすることができない。したがって、電子カセッテ用に新たな撮影台を購入しなければならず、負担が大きいという問題がある。
【０００４】
また、車椅子に座った状態の患者を撮影する際に、車椅子の背もたれと患者との間にカセッテを挿入することがあるが、取っ手を有する電子カセッテでは、その挿入方向が限定されてしまうという問題がある。これは、電子カセッテの取っ手が設けられている側の幅寸法が、取っ手が無い側の幅寸法よりも大きくなり、取っ手が設けられている側を車椅子の肘置きの間に挿入できないためである。
【０００５】
十例、電子カセッテの落下による破損を防止するため、電子カセッテをワイヤによって吊り下げるようにした発明がなされている（例えば、特許文献１参照）。また、電子カセッテの取っ手による問題を解決するため、取っ手を着脱自在とした電子カセッテが発明されている（例えば、特許文献２参照）。
【先行技術文献】
【特許文献】
【０００６】
【特許文献１】特開２００４−３４７８４１号公報
【特許文献２】特開２００４−２４６３８４号公報
【発明の概要】
【発明が解決しようとする課題】
【０００７】
電子カセッテをワイヤによって吊り下げている場合、被検体とワイヤとの位置関係によっては、ワイヤが撮影の邪魔になることが考えられる。
【０００８】
本発明は、取っ手の有無による利便性と、電子カセッテを吊り下げることによる破損防止とを両立しつつ、電子カセッテを吊り下げることによる撮影の制約を受けないようにした放射線画像検出装置及び放射線撮影システムを提供することを目的とする。
【課題を解決するための手段】
【０００９】
本発明の放射線画像検出装置は、ケーブルにより吊り下げられた取っ手と、被検体を透過した放射線を検出して放射線画像を生成する検出部を有する検出手段とからなる。検出手段は、取っ手に着脱自在とされ、取っ手への装着時にケーブルによって取っ手とともに吊り下げられる。
【００１０】
検出手段は、取っ手から取り外されたときに電力を供給する第１電源部と、放射線画像を記憶する記憶部とを有し、取っ手から取り外した状態で撮影を行なうことができる。
【００１１】
取っ手は、ケーブルを通して外部装置と通信を行なう通信手段を備えている。また、取っ手には、検出手段が装着されたときに、検出手段に電力を供給する第２電源部を設けてもよい。第２電源部は、取っ手がケーブルに接続されているときに充電され、取っ手がケーブルから取り外されたときに検出手段に電力を供給するバッテリを備えているのが望ましい。
【００１２】
本発明の放射線撮影システムは、被検体に放射線を照射する放射線発生器と、上記放射線画像検出装置と、放射線発生器と放射線画像検出装置とを制御する制御装置とを備えている。
【発明の効果】
【００１３】
本発明によれば、着脱自在な取っ手を備えているので、取っ手装着時の可搬性向上と、取っ手を取り外すことによる小型化及び従来撮影台への汎用性向上等を図ることができる。また、取っ手がケーブルにより吊り下げられているので、落下による破損を防止することができる。更に、ケーブルは、取っ手とともに検出手段から取り外すことができるので、撮影時にケーブルが邪魔になることもない。
【００１４】
検出手段は、取っ手から取り外した状態で撮影を行なうことができるので、ケーブルが届かない場所でも撮影を行なうことができる。また、検出手段が取っ手に取り付けられたときには、取っ手の第２電源部から電力供給されるので、電池の残量によって撮影の制約を受けることがない。
【図面の簡単な説明】
【００１５】
【図１】本発明の放射線撮影システムの構成を示す概略図である。
【図２】電子カセッテの吊り下げ状態を示す斜視図である。
【図３】電子カセッテの構成を示す分解斜視図である。
【図４】電子カセッテの電気的構成を示すブロック図である。
【図５】ＴＦＴアクティブマトリクス基板の構成を示すブロック図である。
【図６】横たわっている被検体の下に電子カセッテを挿入する状態を示す説明図である。
【図７】横たわっている被検体が電子カセッテを保持している状態を示す説明図である。
【図８】車椅子に座っている被検体の撮影状態を示す説明図である。
【図９】ＣＲ用カセッテの撮影台に対するカセッテ本体をセットする状態を示す斜視図である。
【図１０】車椅子の肘掛けの間にカセッテ本体をその長手方向から挿入する状態を示す説明図である。
【図１１】画像データの生成処理を示すフローチャートである。
【図１２】直交する２側面に取っ手を装着できるようにしたカセッテ本体の斜視図である。
【発明を実施するための形態】
【００１６】
図１に示すように、本発明のＸ線撮影システム１０は、Ｘ線発生器１１、放射線画像検出装置である電子カセッテ１２、コンソール１３及びモニタ１４を備えている。電子カセッテ１２は、コンソール１３の制御に基づいて、Ｘ線発生器１１から被検体Ｈに照射されて透過したＸ線を検出し、Ｘ線画像を生成する。コンソール１３は、電子カセッテ１２から送信されたＸ線画像に各種画像処理を施し、モニタ１４に表示させる。
【００１７】
図２に示すように、電子カセッテ１２は、ケーブル１７によって鉛直方向であるＺ方向に吊り下げられている。ケーブル１７は、電子カセッテ１２とコンソール１３との間で制御信号及びＸ線画像の送受信を行ない、かつ電子カセッテ１２に電源供給を行なうための通信ケーブルであり、電子カセッテ１２を吊り下げた状態で保持する強度を備えている。ケーブル１７は、Ｚ方向に直交するＸ方向に沿って配された第１レール１８と、Ｚ方向及びＸ方向に直交するＹ方向に沿って配された第２レール１９とによってＸＹ方向に走行自在に保持された台車部２０により支持されている。詳しくは図示しないが、台車部２０内には、バネの付勢力により電子カセッテ１２の重量に応じた牽引力でケーブル１７を巻き上げるスプリングバランサが組み込まれており、電子カセッテ１２は、スプリングバランサによって任意の高さで停止できるようになっている。
【００１８】
図３に示すように、電子カセッテ１２は、ケーブル１７が着脱自在とされた取っ手２３と、取っ手２３に着脱自在とされたカセッテ本体２４とから構成されている。検出手段であるカセッテ本体２４は、取っ手２３に装着した状態、または取っ手２３から取り外した状態のいずれでも撮影が行なえるように構成されている。
【００１９】
取っ手２３は、略円弧状の正面形状を有し、その中央部には、取っ手２３を把持する際に手が挿入される開口部２３ａが設けられている。取っ手２３の上面には、ケーブル１７の端部に設けられたコネクタ１７ａが挿入されるソケット２５と、取っ手２３からカセッテ本体２４を分離する際に操作される連結解除ボタン２６とが設けられている。コネクタ１７ａは、ソケット２５に対する係合及び係合解除機能を備えており、コネクタ１７ａとソケット２５との係合時には、電子カセッテ１２の重量を支持する係合強度を発揮する。
【００２０】
取っ手２３の下面には、カセッテ本体２４の上面に設けられたソケット２９に挿入されたときに、取っ手２３とカセッテ本体２４とを電気的に接続するコネクタ３０と、カセッテ本体２４の上面に設けられた一対の係合孔３１に挿入されて係合する一対の係合爪３２とが設けられている。一対の係合爪３２は、係合時にカセッテ本体２４を支持する係合強度を発揮し、連結解除ボタン２６が操作されたときに係合孔３１に対する係合を解除する機構を有している。
【００２１】
カセッテ本体２４は、Ｘ線が照射される検出面２４ａを備えている。カセッテ本体２４内には、検出面２４ａ側から、被検体Ｈを透過することによって生じるＸ線の散乱線を吸収するグリッド３５と、Ｘ線を検出するＸ線検出パネル３６と、Ｘ線のバック散乱線を吸収する鉛板３７とが配置されている。
【００２２】
図４に示すように、上記Ｘ線検出パネル３６は、ＴＦＴアクティブマトリクス基板４０上に、Ｘ線を吸収して電荷に変換する電荷発生層が積層されて構成されている。電荷発生層は例えばセレンを主成分（例えば含有率５０％以上）とする非晶質のａ−Ｓｅ（アモルファスセレン）から成り、Ｘ線が照射されると、照射されたＸ線量に応じた電荷量の電荷（電子−正孔の対）を内部で発生することで、照射されたＸ線を電荷へ変換する。
【００２３】
図５に示すように、ＴＦＴアクティブマトリクス基板４０上には、電荷発生層で発生された電荷を蓄積する蓄積容量と、蓄積容量に蓄積された電荷を読み出すためのＴＦＴを備えた画素４２がマトリクス状に多数個配置されており、検出面２４ａへのＸ線の照射に伴って電荷発生層で発生された電荷は、個々の画素４２の蓄積容量に蓄積される。これにより、検出面２４ａに照射されたＸ線に担持されていた画像情報は電荷情報へ変換されてカセッテ本体２４に保持される。
【００２４】
ＴＦＴアクティブマトリクス基板４０には、一定方向（行方向）に延設され個々の画素４２のＴＦＴをオンオフさせるための複数本のゲート配線４４と、ゲート配線４４と直交する方向（列方向）に延設されオンされたＴＦＴを介して蓄積容量から蓄積電荷を読み出すための複数本のデータ配線４５が設けられている。個々のゲート配線４４はゲート線ドライバ４６に接続されており、個々のデータ配線４５は信号処理部４７に接続されている。個々の画素４２の蓄積容量に電荷が蓄積されると、個々の画素４２のＴＦＴは、ゲート線ドライバ４６からゲート配線４４を介して供給される信号により行単位で順にオンされ、ＴＦＴがオンされた画素４２の蓄積容量に蓄積されている電荷は、電荷信号としてデータ配線４５を伝送されて信号処理部４７に入力される。
【００２５】
信号処理部４７は、個々のデータ配線毎に設けられた増幅器及びサンプルホールド回路を備えており、個々のデータ配線を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部４７のＡ／Ｄ変換器から出力された画像データは、図４に示す画像メモリ４９に順に記憶される。画像メモリ４９は、少なくとも１枚分のＸ線画像が記憶可能な記憶容量を有しているが、複数枚分のＸ線画像が記憶可能な記憶容量を有するのが好ましい。
【００２６】
カセッテ本体２４は、装着検出部５１、第１電源部５２、第１制御部５３、報知部５４及び撮影条件受信部５５を備えている。装着検出部５１は、ソケット２９を介してコネクタ３０の信号ラインの出力を検出することにより、取っ手２３がカセッテ本体２４に装着されているか否かを検出する。なお、赤外線等の光や静電効果（例えば、誘電体が近接しているかどうかを静電容量で検出する方法）などを利用して、カセッテ本体２４に取っ手２３が装着されたか否かを検出する構成としても良いし、ソケット２９内でコネクタ３０の存在をセンサやスイッチなどを用いて検出する構成としてもよい。
【００２７】
第１電源部５２は、バッテリと、電源回路とから構成されている。電源回路は、カセッテ本体２４が取っ手２３から取り外されている状態で撮影を行なうことができるように、バッテリからカセッテ本体２４内の各種回路・素子へ電力を供給する。また、電源回路は、カセッテ本体２４が取っ手２３に装着されたときに、バッテリを充電する機能も有している。バッテリは、少なくとも１枚分の撮影が可能な電源容量を有しているが、複数枚分の撮影が可能な電源容量を有するのが好ましい。
【００２８】
バッテリとしては、ニッケルカドミウム、ニッケル水素、リチウムイオンなどの二次電池の他、電気二重層キャパシタ、リチウムイオンキャパシタなどのキャパシタでもよい。電子カセッテ１２のバッテリの性能としては、小型であること、比較的容量が大きいこと、充電時間が短いことなどが求められる。リチウムイオン二次電池は、他の二次電池と比較してエネルギー密度が高く小型で大容量という特長を備えているので、小型化、大容量化を求める場合にはリチウムイオン二次電池が好ましい。また、キャパシタは、急速充電が可能であるため、充電時間の短縮化を求める場合にはキャパシタが好ましい。
【００２９】
また、近年においては、ナノ微粒子を利用することにより、キャパシタに匹敵する急速充電性能を備えたリチウムイオン二次電池や、急速充電性能とともに高いエネルギー密度も併せ持つリチウムイオンキャパシタなどの新型電池も開発されており、バッテリとしてはこれらを使用することがさらに好ましい。
（http://www.toshiba.co.jp/about/press/2005_03/pr_j2901.htm
http://www.jmenergy.co.jp/img/JMenergy2009.pdf参照）
【００３０】
第１制御部５３は、カセッテ本体２４全体の制御を司るＣＰＵ、後述する画像データ生成処理のプログラムを記憶した記憶媒体としてのＲＯＭ、ワークエリアとしてデータを一時格納するＲＡＭ、各種情報が記憶された記憶手段としてのメモリを含んだマイクロコンピュータで構成されている。
【００３１】
報知部５４は、ＬＥＤランプやブザー音を出力するためのスピーカ等で構成されている。ＬＥＤランプを複数設けて、エラーの種類に応じて選択されたＬＥＤランプを点灯させたり、エラーの種類に応じてブザー音のリズムを変えて出力したりするなどして、例えば、電池容量の低下等のエラーを報知する。
【００３２】
撮影条件受信部５５は、カセッテ本体２４が取っ手２３から取り外されているときに、コンソール１３からＸ線の照射時間等の撮影条件と、照射タイミングとを受信する。第１制御部５３は、撮影条件受信部５５の受信内容に基づいて各部を制御する。なお、撮影条件受信部５５による撮影情報及び照射タイミングの受信は、例えば、無線や赤外線等が用いられる。
【００３３】
取っ手２３は、コンソール１３と通信を行うための通信部５７、第２電源部５８及び第２制御部５９を備えている。通信部５７は、ケーブル１７のコネクタ１７ａを接続するためのソケット２５と、通信回路とを備え、ソケット２５にケーブル１７が接続されているときにコンソール１３との間で通信を行なう。
【００３４】
第２電源部５８は、ケーブル１７を通してコンソール１３から供給された電力を取っ手２３内の各種回路・素子に供給する。また、第２電源部５８は、取っ手２３にカセッテ本体２４が装着されたときには、コネクタ３０及びソケット２９を介して第１電源部５２に電力を供給する。第１電源部５２は、第２電源部５８から供給された電力をカセッテ本体２４内の各種回路・素子に供給し、バッテリを充電する。
【００３５】
第２制御部５９は、第１制御部５３と同様にＣＰＵ、ＲＯＭ、ＲＡＭ及びメモリを含んだマイクロコンピュータで構成されている。第２制御部５９は、取っ手２３にカセッテ本体２４が装着されたときに、通信部５７を制御して第１制御部５３とコンソール１３との間で通信を行なわせる。
【００３６】
次に、上記実施形態の作用について説明する。図２に示すように、電子カセッテ１２は、カセッテ本体２４が取っ手２３に装着され、ケーブル１７によって吊り下げられている。例えば、図６に示すように、寝台６２に横たわっている被検体Ｈを撮影する際には、撮影技師Ｇが電子カセッテ１２の取っ手２３を掴んでケーブル１７を引っ張ることにより台車部２０からケーブル１７を引き出し、被検体Ｈの下に電子カセッテ１２を挿入する。
【００３７】
電子カセッテ１２は、鉛製のグリッド３５、ガラス製のＴＦＴアクティブマトリクス基板４０及び鉛板３７等を有するので、従来のフイルム用カセッテやＣＲ用カセッテに比べて重量が重いが、取っ手２３を有し、ケーブル１７により吊り下げられているので取り扱いが容易である。また、誤って電子カセッテ１２から手を離してしまった場合でも、ケーブル１７により電子カセッテ１２の落下を防ぐことができる。
【００３８】
電子カセッテ１２を用いた撮影では、例えば図７に示すように、寝台６２に横たわっている被検体Ｈに立てた状態の電子カセッテ１２を保持してもらいながら撮影を行なう場合がある。このような場合、被検体Ｈは、取っ手２３を把持することができ、また電子カセッテ１２はケーブル１７により吊り下げられているので、電子カセッテ１２の姿勢を安定的に保つことができる。
【００３９】
更に、図８に示すように、車椅子６４に座っている被検体Ｈと車椅子６４の背もたれ６４ａとの間に電子カセッテ１２を挿入して撮影を行なう場合、従来は、電子カセッテ１２がその重量によって車椅子６４の座面まで滑り落ちてしまい、電子カセッテ１２を所定位置に保持して撮影するのが困難であった。しかし、本実施形態の電子カセッテ１２は、ケーブル１７により吊り下げられているので、被検体Ｈの筋力が低下していて電子カセッテ１２を押さえる力が弱い場合でも、電子カセッテ１２を所定位置で保持させることができる。
【００４０】
また、撮影時にケーブル１７が邪魔になる場合には、カセッテ本体２４を取っ手２３から取り外して撮影を行なうこともできる。これにより、図９に示すように、例えば、ＣＲ用カセッテの撮影台６６にカセッテ本体２４をセットして撮影を行なうことができる。また、図１０に示すように、車椅子６４の肘置き６４ｂの間に、カセッテ本体２４の長手方向を挿入して撮影することもできる。
【００４１】
次に、図１１のフローチャートを参照して、電子カセッテ１２によるＸ線画像生成処理について説明する。まず、第１制御部５３は、装着検出部５１に、カセッテ本体２４が取っ手２３に装着されているか否かを検出させる（Ｓ１）。
【００４２】
カセッテ本体２４が取っ手２３に装着されている場合には、第２制御部５９は、ケーブル１７を通してコンソール１３から供給された電力を第２電源部５６によって第１電源部５２に供給させる（Ｓ２）。また、カセッテ本体２４が取っ手２３に装着されていない場合には、第１制御部５３は、第１電源部５２に電力を供給させ、バッテリの残存容量を確認させる（Ｓ３）。バッテリの残存容量が１枚分のＸ線画像の撮影に必要な容量に満たない場合には、第１制御部５３は、報知部５４にその旨を報知させる（Ｓ４）。
【００４３】
電子カセッテ１２は、コンソール１３と通信を行い、Ｘ線の照射時間等の撮影条件を取得する（Ｓ５）。カセッテ本体２４が取っ手２３に装着されている場合には、第２制御部５９の制御により、通信部５７がケーブル１７を通してコンソール１３と通信を行なう。また、カセッテ本体２４が取っ手２３に装着されていない場合には、第１制御部５３が撮影条件受信部５５を制御してコンソール１３から撮影条件を取得させる。
【００４４】
次いで、電子カセッテ１２は、コンソール１３からＸ線の照射開始を表すＸ線照射スタート信号が入力されるのを待って、Ｘ線検出パネル３６に撮影を開始させる（Ｓ６）。この際も撮影条件の取得時と同様に、取っ手２３に対するカセッテ本体２４の装着の有無に応じて、通信部５７または撮影条件受信部５５が用いられる。
【００４５】
第１制御部５３は、撮影条件を参照し、所定のＸ線照射時間が経過したか否かを判断する（Ｓ７）。第１制御部５３は、Ｘ線照射時間の経過後、ゲート線ドライバ４６により、ＴＦＴアクティブマトリクス基板４０からＸ線照射により蓄積した電荷を信号処理部４７に読み出させ、Ｘ線画像の画像データを生成させる。生成された画像データは、画像メモリ４９に記憶される（Ｓ８）。
【００４６】
カセッテ本体２４が取っ手２３に装着されている場合、第２制御部５９により画像メモリ４９から画像データが読み出され、通信部５７によりコンソール１３に画像データが送信される。コンソール１３は、送信されてきた画像データに各種処理を施してモニタ１４に表示する。
【００４７】
また、カセッテ本体２４が取っ手２３に装着されていない場合には、画像データは画像メモリ４９にそのまま記憶される。そして、カセッテ本体２４が取っ手２３に装着されたときに、第２制御部５９により画像メモリ４９から画像データが読み出され、通信部５７によりコンソール１３に画像データが送信される。このように、カセッテ本体２４が取っ手２３に装着されてから電力消費の大きな画像データの送信を行なうので、第１電源部５２のバッテリの消耗を防ぐことができる。
【００４８】
上記実施形態では、取っ手２３に第２制御部５９を設けたが、第１制御部５３により兼用してもよい。また、取っ手２３に対するカセッテ本体２４の取付方向を１方向のみとしたが、図１２に示すように、カセッテ本体２４の長手方向の側面にも取っ手２３に装着可能なソケット２９及び係合孔３１を設けてもよい。これによれば、撮影手技に応じて被検体Ｈに取っ手２３が邪魔にならないように撮影を行なうことができる。また、カセッテ本体２４の側面に取っ手２３が装着可能なレール等を設け、このレール上で取っ手２３がスライドできるように構成してもよい。
【００４９】
上記実施形態では、カセッテ本体２４がケーブル１７と接続されていないときに、第１電源部５２のバッテリによってカセッテ本体２４に電力を供給しているが、第２電源部５８にもカセッテ本体２４に電力を供給するバッテリを設けてもよい。第２電源部５８のバッテリは、例えば、取っ手２３にケーブル１７が接続されているときに充電され、取っ手２３からケーブル１７が外されているときにカセッテ本体２４の各部に電力を供給するのが望ましい。これによれば、第１電源部５２のバッテリが切れた場合でも、第２電源部５８のバッテリによって電力供給を行なうことができるので、ケーブル１７の未接続状態における電子カセッテ１２の動作時間を延ばすことができる。第２電源部５８のバッテリには、第１電源部５２と同様に、各種二次電池及びキャパシタ等を用いることができる。
【００５０】
また、上記実施形態では、１つの取っ手２３と１つのカセッテ本体２４とを対応させて用いているが、例えば、１つの取っ手２３に対し複数のカセッテ本体２４を選択的に装着できるようにしてもよい。この場合、複数のカセッテ本体２４に個別のＩＤ番号を付与し、このＩＤ番号が取っ手２３を介してコンソール１３により取得され、カセッテ本体２４の管理に利用されるのが好ましい。また、取っ手２３に装着される複数のカセッテ本体２４は、同一サイズのものであってもよく、互いに異なるサイズであってもよい。
【００５１】
上記実施形態では、Ｘ線をデジタルデータに変換するＸ線検出パネルとして、ＴＦＴアクティブマトリクス基板と、Ｘ線を吸収して電荷に変換する電荷発生層とが積層された直接変換方式のＸ線検出パネルを用いているが、いわゆる間接変換方式のＸ線検出パネルを用いてもよい。間接変換方式のＸ線検出パネルは、照射されたＸ線を光に変換するシンチレータと、シンチレータに積層され、シンチレータによって変換された光を検出する光電変換パネルとによって構成されている。シンチレータとしては、例えば、ガドリニウムオキシサルファイド（ＧＯＳ）、ヨウ化セシウム（ＣｓＩ）等を用いることができる。
【符号の説明】
【００５２】
１０  Ｘ線撮影システム
１１  Ｘ線発生器
１２  電子カセッテ
１３  コンソール
１７  ケーブル
２３  取っ手
２４  カセッテ本体
３６  Ｘ線検出パネル
４０  ＴＦＴアクティブマトリクス基板
４９  画像メモリ
５２  第１電源部
５３  第１制御部
５７  通信部
５８  第２電源部
５９  第２制御部
【図１】
2011242756.tif 000003
【図２】
2011242756.tif 000004
【図３】
2011242756.tif 000005
【図４】
2011242756.tif 000006
【図５】
2011242756.tif 000007
【図６】
2011242756.tif 000008
【図７】
2011242756.tif 000009
【図８】
2011242756.tif 000010
【図９】
2011242756.tif 000011
【図１０】
2011242756.tif 000012
【図１１】
2011242756.tif 000013
【図１２】
2011242756.tif 000014